(57)【要約】【課題】  ケース内に案内される排気風量が少なくなっても整流子を十分に冷却することのできる電動送風機を提供する。【解決手段】  固定子３とこの固定子３に対して回転自在に設けられた回転子４とから構成される電動部と、回転子４に設けた出力軸５の一端に固定される遠心ファン６と、出力軸５の他端に設けられ回転子４に電流を供給するための整流子１０と、前記電動部を覆うとともに遠心ファン６による排気風を前記電動部へ案内する筒ケース２と、整流子１０に接触するカーボンブラシ１１と、このカーボンブラシ１１に直列に接続されるとともに前記整流子に流れる電流が過電流であることを検知した際にその電流をオフにするサーモプロテクタ２０と、このサーモプロテクタ２０を保持する保持部１５とを備え、筒ケース２内に案内された排気風を整流子１０へ案内する傾斜面１６を保持部１５に設けた。【選択図】  図１
2005133595.tif 000002
【特許請求の範囲】
【請求項１】
固定子とこの固定子に対して回転自在に設けられた回転子とから構成される電動部と、前記回転子に設けた出力軸の一端に固定されるファンと、その出力軸の他端に設けられ前記回転子に電流を供給するための整流子と、前記電動部を覆うとともに前記ファンによる排気風を前記電動部へ案内するケースと、前記整流子に接触するカーボンブラシと、このカーボンブラシおよび前記整流子と直列に設けられるとともに前記整流子に流れる電流が過電流であることを検知した際にその電流をオフにするサーモプロテクタと、このサーモプロテクタを保持する保持部とを備えている電動送風機であって、
前記ケース内に案内された排気風を前記整流子へ案内するガイド部を前記保持部に設けたことを特徴とする電動送風機。
【請求項２】
前記回転子の外径より内側となる位置に前記ガイド部を設けたことを特徴とする請求項１に記載の電動送風機。
【発明の詳細な説明】
【技術分野】
【０００１】
この発明は、固定子とこの固定子に対して回転自在に設けられた回転子とから構成される電動部と、前記回転子に設けた出力軸の一端に固定されるファンとを有し、そのファンによる排気風を電動部へ案内するようにした電動送風機に関する。
【背景技術】
【０００２】
従来から、固定子と、この固定子に対して回転自在に設けられた回転子と、前記回転子に設けた出力軸の一端に固定されるファンと、その出力軸の他端に設けられ前記回転子に電流を供給するための整流子と、前記整流子に接触するカーボンブラシ等とを備えた電動送風機が知られている（特許文献１参照）。
【０００３】
かかる電動送風機にあっては、固定子や回転子などは円筒状のケース内に収納されており、前記ファンによる排気風がそのケース内に案内されて回転子や固定子やカーボンブラシを冷却するようになっている。
【特許文献１】特開２００１−２９５７９２号公報
【発明の開示】
【発明が解決しようとする課題】
【０００４】
しかしながら、このような電動送風機にあっては、ケース内に単に排気風を送り込むだけなので、カーボンブラシが接触する整流子を十分に冷却することができなかった。特に、電動送風機を電気掃除機に使用した場合、集塵フィルタに目詰まりが生じたとき、ケース内に流れる排気風が僅かなものとなり、この結果、整流子を十分に冷却することができなくなってしまうという問題があった。
【０００５】
この発明の目的は、ケース内に案内される排気風量が少なくなっても整流子を十分に冷却することのできる電動送風機を提供することにある。
【課題を解決するための手段】
【０００６】
請求項１の発明は、固定子とこの固定子に対して回転自在に設けられた回転子とから構成される電動部と、前記回転子に設けた出力軸の一端に固定されるファンと、その出力軸の他端に設けられ前記回転子に電流を供給するための整流子と、前記電動部を覆うとともに前記ファンによる排気風を前記電動部へ案内するケースと、前記整流子に接触するカーボンブラシと、このカーボンブラシおよび前記整流子と直列に設けられるとともに前記整流子に流れる電流が過電流であることを検知した際にその電流をオフにするサーモプロテクタと、このサーモプロテクタを保持する保持部とを備えている電動送風機であって、
前記ケース内に案内された排気風を前記整流子へ案内するガイド部を前記保持部に設けたことを特徴とする。
【発明の効果】
【０００７】
この発明によれば、排気風を整流子へ案内するガイド部を保持部に設けたものであるから、ケース内に案内される排気風量が少なくなっても整流子を十分に冷却することができる。
【発明を実施するための最良の形態】
【０００８】
以下、この発明に係る電動送風機の実施例を図面に基づいて説明する。
【実施例】
【０００９】
図１に示す電動送風機１は、例えば電気掃除機に使用されるものであり、筒状の筒ケース（ケース）２と、この筒ケース２内に固定された固定子３と、この固定子３内に回転自在に設けられた回転子４等とを備えている。そして、固定子３と回転子４とで電動部が構成され、この電動部は筒ケース２に覆われている。すなわち、電動部は筒ケース２内に設けられている。筒ケース２の上部（図１において）には複数の排気穴２Ａが形成されている。
【００１０】
回転子４に設けた出力軸５の一端には遠心ファン（ファン）６が装着され、この遠心ファン６はファンカバー７に覆われている。ファンカバー７は筒ケース２の一端に取り付けられている。また、ファンカバー７の中央部には吸気口７Ａが形成され、ファンカバー７内には整流板８が設けられている。そして、遠心ファン６は、回転することにより吸気口７Ａから空気を吸引して整流板８を介して筒ケース２内へ送り込むようになっている。この空気（排気風）は筒ケース２内を矢印方向に示すように流れていくようになっている。
【００１１】
回転子４の出力軸５の他端には、回転子４のコイル４Ａに電流を供給するための整流子１０が設けられており、この整流子１０には一対のカーボンブラシ１１の先端部が接触している。カーボンブラシ１１はブラシホルダー１２に保持されており、このブラシホルダー１２は図２ないし図４に示すように筒ケース２に設けたホルダー受部１３に装着されている。
【００１２】
ホルダー受部１３は、相対向する位置に一対設けられているとともに、出力軸５の径方向に沿って設けられている。各ホルダー受部１３の下側（図３において）には、サーモプロテクタ２０を保持する保持部１５が一体に形成されている。
【００１３】
保持部１５は、出力軸５の径方向に沿って延びているとともに、その径方向に沿って相対向する側壁部１５Ａ,１５Ｂを有している。側壁部１５Ａは出力軸５側に位置するとともに回転子４の外径より内側に入り込んでおり、側壁部１５Ｂは筒ケース２側に位置している。
【００１４】
そして、側壁部１５Ａには他端側（図４において上側）にいくにしたがって出力軸５側（電動送風機１の中心軸線側）に近づく傾斜面（ガイド部）１６が形成されている。この傾斜面１６は回転子４の外径より内側に位置している。
【００１５】
サーモプロテクタ２０は、電動部に流れる過電流を防止するためのものであり、図５および図６に示すように、上面（図５において）が開口された金属ケース２１と、この金属ケース２１内に設けられたバイメタル２２等とを備えている。バイメタル２２の一端は金属ケース２１に固定され、バイメタル２２の他端には可動接点２３が設けられている。
【００１６】
金属ケース２１の上面開口２１Ａには絶縁シート２４を介して金属板２５が取り付けられており、この金属板２５に設けた固定接点２６が絶縁シート２４の穴２４Ａを介して金属ケース２１内に突出している。この固定接点２６にはバイメタル２２の可動接点２３が接触しており、バイメタル２２に流れる過電流によってバイメタル２２の温度が所定温度（約１３０゜Ｃ）以上になると、可動接点２３が固定接点２６から離れるようになっている。
【００１７】
金属板２５はカーボンブラシ１１のブラシホルダー１２に接触しており、バイメタル２２の一端は端子台２７に設けた端子２８に電気的に接続されている。そして、図７に示すように、固定子３のコイル３Ａと、サーモプロテクタ２０と、カーボンブラシ１１と、回転子４の整流子１０と、カーボンブラシ１１と、固定子３のコイル３Ｂとが電気的に直列接続されていて直列回路が形成されている。そして、サーモプロテクタ２０が所定温度以上になると、可動接点２３が固定接点２６から離れることにより、その直列回路がオフし、回転子４の回転が停止するようになっている。
【００１８】
［動  作］
次に、上記のように構成される電動送風機１の動作について説明する。
【００１９】
回転子４および出力軸５の回転によってファン６が回転すると、ファンカバー７の吸気口７Ａから空気が吸引され、この吸引された空気は実線の矢印で示すように筒ケース２内へ流れていく。筒ケース２内に流れる空気は電動部を冷却した後、サーモプロテクタ２０を保持した保持部１５に向かって流れていく。
【００２０】
保持部１５に向かった空気は、保持部１５の傾斜面１６により整流子１０側へ案内され、この結果、整流子１０が十分に冷却されていく。また、傾斜面１６が回転子４の外径より内側に位置しているので、整流子１０を冷却する風量を十分に確保することができ、より一層整流子１０を冷却することができる。整流子１０を冷却した空気は筒ケース２の排気穴２Ａから外部へ排気されていく。
【００２１】
このように、保持部１５に向う空気は、保持部１５の傾斜面１６に案内されて整流子１０に向かって流れていくので、例えば、電気掃除機の集塵フィルタが目詰まりを起こしてファンカバー７の吸気口７Ａに吸引される空気の量が少なくなっても、整流子１０を十分に冷却することができ、このため目詰まりによって整流子１０の温度上昇によるサーモプロテクタ２０の誤動作を防止することができる。
【図面の簡単な説明】
【００２２】
【図１】この発明に係る電動送風機の構成を示した半断面図である。
【図２】図１に示す電動送風機の筒ケースを示した平面図である。
【図３】図２に示す筒ケースの断面図である。
【図４】図１の電動送風機の一部を示した部分拡大図である。
【図５】サーモプロテクタの構成を示した縦断面図である。
【図６】サーモプロテクタの構成を示した横断面図である。
【図７】電動送風機の回路を示した回路図である。
【符号の説明】
【００２３】
１      電動送風機
２      筒ケース（ケース）
３      固定子
４      回転子
５      出力軸
６      遠心ファン（ファン）
１０      整流子
１１      カーボンブラシ
１５      保持部
１６      傾斜面
２０      サーモプロテクタ
【図１】
2005133595.tif 000003
【図２】
2005133595.tif 000004
【図３】
2005133595.tif 000005
【図４】
2005133595.tif 000006
【図５】
2005133595.tif 000007
【図６】
2005133595.tif 000008
【図７】
2005133595.tif 000009